【手続補正書】
【提出日】令和3年11月1日(2021.11.1)
【手続補正１】
【補正対象書類名】特許請求の範囲
【補正対象項目名】全文
【補正方法】変更
【補正の内容】
【特許請求の範囲】
【請求項１】
プロセッサおよびメモリを有するコントローラ回路ボードと；
燃料ガス入力、燃料ガス出力、酸素／空気ガス入力、および酸素／空気ガス出力と；
前記コントローラ回路ボードへ作動可能に接続されたタッチスクリーンディスプレイと；
前記コントローラ回路ボードへ作動可能に接続されたフットペダルと、を含む単一トーチ蝋付けシステムであって
前記コントローラ回路ボードは複数の炎初期設定のジョブを前記メモリ内に格納するように構成され、
前記複数の炎初期設定のジョブの任意のジョブが、前記コントローラ回路ボードから呼び出され、前記フットペダルを踏むことに応じて周期的に繰り返され得、
前記複数の炎初期設定のジョブの各ジョブは、蝋付けアセンブリに対し行われる一連の接合蝋付けに対応し、複数の選択可能炎初期設定を含み、
前記複数の選択可能炎初期設定の各炎初期設定は、少なくとも燃料ガスの流量と酸素／空気ガスの流量とに基づき炎設定を規定する、システム。
【請求項２】
燃料エンコーダノブおよび酸素／空気エンコーダノブをさらに含む請求項１に記載のシステムであって、前記複数の選択可能炎初期設定の炎初期設定は、前記燃料ガスと前記酸素／空気ガスのそれぞれの流量を独立に調整するために前記タッチスクリーンディスプレイを介し前記コントローラ回路ボードのセットアップモードを入力することにより、そして前記燃料エンコーダノブと前記酸素／空気エンコーダノブとを使用することにより、前記コントローラ回路ボードの前記メモリ内に確立され得る、システム。
【請求項３】
自動化インターフェースを介し前記コントローラ回路ボードへ作動可能に接続されたロボットをさらに含む請求項１に記載のシステムであって、前記コントローラ回路ボードは、前記蝋付け作業中に、前記ロボットの運動を制御し、選択された炎タイプと前記ロボットの蝋付け位置とを同期するために、前記自動化インターフェースを介し蝋付けトーチを保持する前記ロボットのプログラマブル論理コントローラと通信するように構成される、システム。
【請求項４】
前記コントローラ回路ボードと、前記燃料ガス入力と前記燃料ガス出力間とへ作動可能に接続された質量流コントローラをさらに含む請求項１に記載のシステムであって、前記質量流コントローラは前記コントローラ回路ボードの制御下で前記燃料ガスの少なくとも前記流量を監視および調整するように構成される、システム。
【請求項５】
前記コントローラ回路ボードと、前記酸素／空気ガス入力と前記酸素／空気ガス出力間とへ作動可能に接続された質量流コントローラをさらに含む請求項１に記載のシステムであって、前記質量流コントローラは前記コントローラ回路ボードの制御下で少なくとも前記酸素／空気ガスの流量を監視および調整するように構成される、システム。
【請求項６】
所望炎を選択された炎設定に維持するために前記燃料ガスの少なくとも流量と前記酸素／空気ガスの前記流量とを監視および調整するように構成された燃料ガス質量流コントローラと酸素／空気ガス質量流コントローラとをさらに含む請求項１に記載のシステム。
【請求項７】
電力を少なくとも前記コントローラ回路ボードへ供給するように構成された電源ボードをさらに含む請求項１に記載のシステム。
【請求項８】
無線ルータをさらに含む請求項１に記載のシステムであって、前記無線ルータは外部コンピュータへ作動可能に接続され、前記コントローラ回路ボードは、前記外部コンピュータによるデータ収集とソフトウェアライセンスの管理との少なくとも１つのために前記無線ルータを介し前記外部コンピュータと無線通信するように構成される、システム。
【請求項９】
前記無線ルータはＷｉ−Ｆｉルータであり、前記コントローラ回路ボードは前記Ｗｉ−Ｆｉルータを介し前記外部コンピュータと無線通信するように構成される、請求項８に記載のシステム。
【請求項１０】
前記外部コンピュータは、コンピュータ実行可能命令として前記外部コンピュータ上で走るソフトウェアアプリケーションとして実装されたダッシュボードユーザインターフェースを含み、
前記ダッシュボードユーザインターフェースは、ユーザにより見られ解析される前記コントローラ回路ボードから前記外部コンピュータにより収集された収集データを処理するように構成される、請求項８に記載のシステム。
【請求項１１】
前記収集データは、前記蝋付けシステムが蝋付け処理中にオンだった時間、ガスが前記蝋付け処理中に流れていた時間、前記蝋付けシステムが前記蝋付け処理中に行っていたものと関連付けられた設定、および診断情報のうちの少なくとも１つに関係付けられる、請求項１０に記載のシステム。
【請求項１２】
プロセッサおよびメモリを有するコントローラ回路ボードと；
前記コントローラ回路ボードへ作動可能に接続されたタッチスクリーンディスプレイと；
単一燃料ガス入力および複数の燃料ガス出力と；
前記コントローラ回路ボードと、単一燃料ガス入力と複数の燃料ガス出力間とへ作動可能に接続された燃料ガス質量流コントローラであって、前記コントローラ回路ボードの制御下で少なくとも燃料ガスの流量を独立に監視および調整するように構成された燃料ガス質量流コントローラと；
単一酸素／空気ガス入力および複数の酸素／空気ガス出力と；
前記コントローラ回路ボードと、前記単一酸素／空気ガス入力と前記複数の酸素／空気ガス出力間とへ作動可能に接続された酸素／空気ガス質量流コントローラであって、前記コントローラ回路ボードの制御下で少なくとも酸素／空気ガスの流量を独立に監視および調整するように構成される酸素／空気ガス質量流コントローラと、を含むマルチトーチの蝋付けシステム。
【請求項１３】
燃料エンコーダノブおよび酸素／空気エンコーダノブをさらに含む請求項１２に記載のシステムであって、炎設定は、前記複数の燃料ガス出力のそれぞれの前記燃料ガスの流量と前記複数の酸素／空気ガス出力のそれぞれの前記酸素／空気ガスの流量とを独立に調整するために、前記タッチスクリーンディスプレイを介し前記コントローラ回路ボードのセットアップモードを入力することにより、そして前記燃料エンコーダノブと前記酸素／空気エンコーダノブを使用することにより、複数の蝋付けトーチ用の前記コントローラ回路ボードの前記メモリに確立され得る、
システム。
【請求項１４】
前記燃料ガス質量流コントローラと前記酸素／空気ガス質量流コントローラは、複数の蝋付けトーチのそれぞれの蝋付けトーチの様々な選択された炎設定に対応する様々な所望炎を同時に維持するために、前記コントローラ回路ボードの制御下で少なくとも前記複数の燃料ガス出力のそれぞれの燃料ガスの前記流量と前記複数の酸素／空気ガス出力のそれぞれの酸素／空気ガスの流量とを独立に監視および調整するように構成される、請求項１２に記載のシステム。
【請求項１５】
前記コントローラ回路ボードを前記燃料ガス質量流コントローラへ作動可能に接続するように構成された第１のＲＳ２３２インターフェースと；
前記コントローラ回路ボードを前記酸素／空気ガス質量流コントローラへ作動可能に接続するように構成された第２のＲＳ２３２インターフェースと、をさらに含む請求項１２に記載のシステム。
【請求項１６】
前記複数の燃料ガス出力は３つの燃料ガス出力へ制限され、前記複数の酸素／空気ガス出力は３つの酸素／空気ガス出力へ制限される、請求項１２に記載のシステム。
【請求項１７】
無線ルータをさらに含む請求項１２に記載のシステムであって、前記無線ルータは外部コンピュータへ作動可能に接続され、前記コントローラ回路ボードは、前記外部コンピュータによるデータ収集とソフトウェアライセンスの管理との少なくとも１つのために前記無線ルータを介し前記外部コンピュータと無線通信するように構成される、システム。
【請求項１８】
前記無線ルータはＷｉ−Ｆｉルータであり、前記コントローラ回路ボードは前記Ｗｉ−Ｆｉルータを介し前記外部コンピュータと無線通信するように構成される、請求項１７に記載のシステム。
【請求項１９】
前記外部コンピュータは、コンピュータ実行可能命令として外部コンピュータ上で走るソフトウェアアプリケーションとして実装されるダッシュボードユーザインターフェースを含み、前記ダッシュボードユーザインターフェースは、ユーザにより見られ解析される前記コントローラ回路ボードから前記外部コンピュータにより収集された収集データを処理するように構成される、請求項１７に記載のシステム。
【請求項２０】
前記収集データは、前記蝋付けシステムが蝋付け処理中にオンだった時間、ガスが前記蝋付け処理中に流れていた時間、前記蝋付けシステムが前記蝋付け処理中に行っていたものと関連付けられた設定、および診断情報のうちの少なくとも１つに関係付けられる、請求項１９に記載のシステム。